【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
１つ以上のマイクロフォン、スピーカ、１つ以上のプロセッサ、及び前記１つ以上のプロセッサによる実行のための１つ以上のプログラムを格納するメモリを含む第１の電子装置であって、共通のネットワークサービスに通信可能に結合される、コネクテッド電子装置のローカルグループのメンバである第１の電子装置が、
第１の操作の要求を含む第１の音声命令を受信することと、
コネクテッド電子装置の前記ローカルグループの中から前記第１の操作のための第１のターゲット装置を決定することと、
前記第１のターゲット装置に関してフォーカスセッションを確立することと、
前記共通のネットワークサービスの操作を介して、前記第１のターゲット装置によって前記第１の操作が実行されるようにすることと、
第２の操作の要求を含む第２の音声命令を受信することと、
前記第２の音声命令が第２のターゲット装置の明示的な指定を含まないと決定することと、
前記第２の操作が前記第１のターゲット装置によって実行することができると決定することと、
前記第２の音声命令が１つ以上のフォーカスセッション維持基準を満たすかどうかを判定することと、
前記第２の音声命令が前記フォーカスセッション維持基準を満たすという決定に従って、前記第２の操作を前記共通のネットワークサービスの操作を介して前記第１のターゲット装置によって実行させることとを備える、方法。
【請求項２】
コネクテッド電子装置の前記ローカルグループの中から前記第１の操作のための第１のターゲット装置を決定することは、
前記第１の音声命令から前記第１のターゲット装置の明示的な指定を取得することを備える、請求項１に記載の方法。
【請求項３】
コネクテッド電子装置の前記ローカルグループの中から前記第１の操作のための第１のターゲット装置を決定することは、
前記第１の音声命令が前記第１のターゲット装置の明示的な指定を含まないと決定することと、
コネクテッド電子装置の前記ローカルグループの中の第２の電子装置により前記第１の操作を実行することができると決定することと、
前記第２の電子装置を前記第１のターゲット装置として選択することとを備える、請求項１に記載の方法。
【請求項４】
前記第２の音声命令は前記フォーカスセッション維持基準を満たすという前記決定に従って、前記第１のターゲット装置に関して前記フォーカスセッションを延長することをさらに備える、請求項１から３のいずれか１項に記載の方法。
【請求項５】
前記第１のターゲット装置に関して前記フォーカスセッションを確立することは、
前記第１の音声命令のタイムスタンプを記憶することと、
前記第１のターゲット装置の識別子を記憶することとを備える、請求項１から４のいずれか１項に記載の方法。
【請求項６】
前記フォーカスセッション維持基準は、前記第１の音声命令の受信に対して第１の所定の時間間隔内に、又は前記第１の音声命令の受信に対して第２の所定の時間間隔で、前記第２の音声命令が前記第１の電子装置によって受信されるという基準を含み、前記第２の所定の時間間隔は前記第１の所定の時間間隔の後に続き、
前記第２の音声命令が前記１つ以上のフォーカスセッション維持基準を満たすかどうかを決定することは、前記第２の音声命令が前記第１の所定の時間間隔又は前記第２の所定の時間間隔のいずれか以内で受信されるかどうかを決定することを備える、請求項１から５のいずれか１項に記載の方法。
【請求項７】
前記第２の音声命令が前記第１の所定の時間間隔内に受信されたという決定に従って、前記第２の音声命令のためのターゲット装置として前記第１のターゲット装置を選択することをさらに備える、請求項６に記載の方法。
【請求項８】
前記第２の音声命令が前記第２の所定の時間間隔内に受信されたという決定に従って、前記第２の音声命令のためのターゲット装置として前記第１のターゲット装置を確認する要求を出力することと、
確認する要求に応答する前記第１のターゲット装置の肯定的な確認に従って、前記第１のターゲット装置を前記第２の音声命令のためにターゲット装置として選択することを備える、請求項６に記載の方法。
【請求項９】
第３の操作の要求と、コネクテッド電子装置の前記ローカルグループの中での第３のターゲット装置の明示的な指定とを含む、第３の音声命令を受信することと、
前記第１のターゲット装置に関してフォーカスセッションを終了することと、
前記第３のターゲット装置に関してフォーカスセッションを確立することと、
前記共通のネットワークサービスの操作を介して、前記第３のターゲット装置によって前記第３の操作を実行させることとをさらに備える、請求項１から８のいずれか１項に記載の方法。
【請求項１０】
第１のターゲット装置は前記第１の電子装置であり、
前記方法は、
第４の操作の要求と、コネクテッド電子装置の前記ローカルグループの中での第４のターゲット装置の明示的な指定とを含む、第４の音声命令を受信することをさらに備え、前記第４のターゲット装置は、コネクテッド電子装置の前記ローカルグループの第３の電子装置メンバであり、前記第３の電子装置は前記第１の電子装置とは異なり、前記方法は、さらに、
前記第１のターゲット装置に関して前記フォーカスセッションを維持することと、
前記共通のネットワークサービスの操作を介して、前記第４のターゲット装置によって前記第４の操作を実行させることとを備える、請求項１から９のいずれか１項に記載の方法。
【請求項１１】
前記第２の音声命令は、前記第４の操作を前記第４のターゲット装置によって実行させた後に受信され、
前記第１の操作はメディア再生動作であり、
前記第２の操作はメディア停止操作であり、
前記方法は、
第５の操作の要求と、及びコネクテッド電子装置の前記ローカルグループの中での第５のターゲット装置の明示的な指定とを含む、第５の音声命令を受信することをさらに備え、前記第５のターゲット装置は前記第３の電子装置であり、前記方法は、
前記第１のターゲット装置に関して前記フォーカスセッションを終了することと、
前記第５のターゲット装置に関してフォーカスセッションを確立することと、
前記共通のネットワークサービスの操作を介して、前記第５のターゲット装置によって前記第５の操作を実行させることとをさらに備える、請求項１０に記載の方法。
【請求項１２】
所定の操作終了要求を含む第５の音声命令を受信することと、
前記第５の音声命令を受信することに従って、
前記第１のターゲット装置によって前記第１の操作を実行させることを止めることと、
前記第１のターゲット装置に関して前記フォーカスセッションを終了することとをさらに備える、請求項１から１１のいずれか１項に記載の方法。
【請求項１３】
前記第１の操作はメディア再生操作であり、
前記第２の操作は、メディア停止操作、メディア巻き戻し操作、メディア早送り操作、音量を上げる操作、及び音量を下げる操作のうちの１つである、請求項１から１２のいずれか１項に記載の方法。
【請求項１４】
前記第１の操作は、複数の装置状態のうちの第１の状態への装置状態変化操作であり、
前記第２の操作は、複数の装置状態のうちの第２の状態への装置状態変更操作である、請求項１から１３のいずれか１項に記載の方法。
【請求項１５】
前記第１の操作は、マグニチュードスケールにおいて、第１の方向へのマグニチュード変更操作であり、
前記第２の操作は、前記マグニチュードスケールにおいて、前記第１の方向と反対の第２の方向へのマグニチュード変更操作である、請求項１から１４のいずれか１項に記載の方法。
【請求項１６】
前記第１の電子装置は１つ以上のＬＥＤのアレイを備え、
前記方法は、
ＬＥＤの前記アレイにおける前記ＬＥＤの１つ以上を照明することによって前記フォーカスセッションの状態を示すことをさらに備える、請求項１から１５のいずれか１項に記載の方法。
【請求項１７】
１つ以上のマイクロフォン、
スピーカ、
１つ以上のプロセッサ、及び
前記１つ以上のプロセッサによって実行される１つ以上のプログラムを格納するメモリを備え、前記１つ以上のプログラムは請求項１から１６のいずれか１項に記載の方法を実行するための指示を備える、電子装置。
【請求項１８】
１つ以上のマイクロフォン、スピーカ、及び１つ以上のプロセッサを備える電子装置によって実行されると、前記電子装置に請求項１から１６のいずれか１項に記載の方法を実行させる命令を備える、コンピュータプログラム。